(57)【要約】【課題】使用者の足サイズに合うように、電極位置を自動的に調整できるようにする。【解決手段】使用者が左右の足裏面を載置する体重計（載置部）２と、この体重計２の上面に配置され、各足裏面の爪先側と踵側とに印加電極１０と測定電極１１とを設けた生体インピーダンス測定装置１である。各足裏面の爪先側と踵側の電極１０，１１は、電動モータ（電動手段）２０で間隔Ｌが調整可能に設けられている。使用者の年齢、性別、身長、体重等の身体的データの入力で、予め統計的に決定された足サイズを選択するとともに、この選択された足サイズに合うように、電動モータ２０で、各足裏面の爪先側と踵側の電極１０，１１の間隔Ｌを移動調整する制御装置１３が設けられている。【選択図】図１
2010220914.tif 000002
【特許請求の範囲】
【請求項１】
使用者が左右の足裏面を載置する載置部と、この載置部の上面に配置され、各足裏面の爪先側と踵側とに印加電極と測定電極とを設けた生体インピーダンス測定装置において、
前記各足裏面の爪先側と踵側の電極の間隔を調整可能な電動手段と、使用者の年齢、性別、身長、体重等の身体的データの入力で、予め統計的に決定された足サイズを選択するとともに、この選択された足サイズに合うように、前記電動手段で、各足裏面の爪先側と踵側の電極の間隔を移動調整する制御装置とが設けられていることを特徴とする生体インピーダンス測定装置。
【請求項２】
前記制御装置は、踵側の電極を固定し、爪先側の電極を移動調整することを特徴とする請求項１に記載の生体インピーダンス測定装置。
【請求項３】
前記制御装置は、前記載置部の中心に対して、爪先側と踵側の電極の間隔を均等に移動調整することを特徴とする請求項１に記載の生体インピーダンス測定装置。
【発明の詳細な説明】
【技術分野】
【０００１】
本発明は、生体インピーダンス測定装置に関する。
【背景技術】
【０００２】
従来、使用者が左右の足裏面を載置する載置部と、この載置部の上面に配置され、各足裏面の爪先側と踵側とに印加電極と測定電極とを設けた生体インピーダンス測定装置がある（特許文献１，２参照）。
【０００３】
このような生体インピーダンス測定装置の使用者は、年齢、性別等によって足サイズも大小あることから、従来では、電極サイズを大きくして、足サイズの大小をカバーするようにしている。
【先行技術文献】
【特許文献】
【０００４】
【特許文献１】特開２００２−０６５６２９号公報
【特許文献２】特開２０００−２４５７０７号公報
【発明の概要】
【発明が解決しようとする課題】
【０００５】
しかしながら、測定可能な足サイズの範囲を拡げれば、電極サイズも大きくしなければならないので、電極が高価になるという問題があった。
【０００６】
そこで、足サイズに合うように、電極位置を調整できるようにすることが考えられるが、多数の使用者が交替で使用する家庭用である場合、測定毎にその使用者の足サイズに合った位置に電極を手操作で調整しなければならないので、調整操作が煩わしいという問題がある。
【０００７】
本発明は、前記問題を解消するためになされたもので、使用者の足サイズに合うように、電極位置を自動的に調整できる生体インピーダンス測定装置を提供することを目的とするものである。
【課題を解決するための手段】
【０００８】
前記課題を解決するために、本発明は、使用者が左右の足裏面を載置する載置部と、この載置部の上面に配置され、各足裏面の爪先側と踵側とに印加電極と測定電極とを設けた生体インピーダンス測定装置において、前記各足裏面の爪先側と踵側の電極の間隔を調整可能な電動手段と、使用者の年齢、性別、身長、体重等の身体的データの入力で、予め統計的に決定された足サイズを選択するとともに、この選択された足サイズに合うように、前記電動手段で、各足裏面の爪先側と踵側の電極の間隔を移動調整する制御装置とが設けられていることを特徴とする生体インピーダンス測定装置を提供するものである。
【０００９】
請求項２のように、請求項１において、前記制御装置は、踵側の電極を固定し、爪先側の電極を移動調整する構成とすることができる。
【００１０】
請求項３のように、請求項１において、前記制御装置は、前記載置部の中心に対して、爪先側と踵側の電極の間隔を均等に移動調整する構成とすることができる。
【発明の効果】
【００１１】
本発明によれば、載置部の爪先側と踵側の電極は、電動手段で間隔が調整可能に設けられている。そして、制御装置により、使用者の年齢等の身体的データの入力で、予め統計的に決定された足サイズを選択して、この選択された足サイズに合うように、電動手段で、爪先側と踵側の電極の間隔が自動的に調整されるようになる。
【００１２】
したがって、使用者の身体的データを予め登録し、それを選択するスイッチ操作等をすれば、その使用者の足サイズに合うように、爪先側と踵側の電極の間隔が自動的に調整されるようになるから、調整操作が簡単になり、より正確に体組成を測定できるようになる。また、電極サイズを大きくする必要がないので、電極が安価になる。
【００１３】
請求項２によれば、足裏骨部で骨密度を測定する機能を有する場合には、正確な骨密度測定が可能となる。
【００１４】
請求項３によれば、バランスを測定する機能を有する場合には、正確なバランス測定が可能となる。
【図面の簡単な説明】
【００１５】
【図１】本発明の第１実施形態の生体インピーダンス測定装置の斜視図である。
【図２】電極の移動調整機構であり、（ａ）は平面図、（ｂ）は側面図である。
【図３】（ａ）は制御ブロック図、（ｂ）は制御フローチャートである。
【図４】本発明の第２実施形態の生体インピーダンス測定装置の斜視図である。
【図５】本発明の第３実施形態の生体インピーダンス測定装置の斜視図である。
【発明を実施するための形態】
【００１６】
以下、本発明を実施するための形態について、図面を参照しながら詳細に説明する。図１は、第１実施形態の生体インピーダンス測定装置１の斜視図である。
【００１７】
生体インピーダンス測定装置１は、使用者が左右の足裏面を載置する体重計（載置部）２と、この体重計２に対して着脱可能なハンドユニット３とを備えている。
【００１８】
体重計２は、使用者が左右の足を乗せるための載置板４と、脚５を備えた裏板６とで構成され、載置板４と裏板６との間には複数個の荷重センサ７〔図３（ａ）参照〕が設けられて、この荷重センサ７によって、使用者の体重が測定されるようになる。
【００１９】
載置板４の上面の左右の足を乗せる部分には、印加電極１０と測定電極１１をそれぞれ設けて、この印加電極１０と測定電極１１との間で足の生体インピーダンスを測定することができる。荷重センサ７と電極１０，１１は、計測装置１２（図３参照）を構成する。
【００２０】
また、図１に二点鎖線で示したように、体重計２から取り外したハンドユニット３の左右の手で握る部分には、具体的に図示しないが、印加電極と測定電極がそれぞれ設けられていて、この印加電極と測定電極との間で手の生体インピーダンスを測定することができる。
【００２１】
ハンドユニット３には、体脂肪率等を表示する液晶ディスプレイ等の表示部３Ａと、使用者の年齢、性別、身長等を入力する各種スイッチ１４が配列された操作部３Ｂとが設けられている。
【００２２】
図３に示したように、荷重センサ７で測定された使用者の体重データ、電極１０，１１で測定された使用者の生体インピーダンスデータ、スイッチ１４で入力された使用者の年齢、性別、身長等のデータは、制御装置１３の演算部１６に入力される。制御装置１３には、記憶部１７が設けられ、この記憶部１７には、年齢、性別、身長、体重等の身体的データから予め統計的に決定された足サイズのデータが記憶されている。
【００２３】
体重計２の爪先側の印加電極１０と踵側の測定電極１１は、電動モータ（電動手段）２０で間隔Ｌが調整可能に設けられている。すなわち、爪先側の印加電極１０は、載置板４の上面に固定されているが、踵側の測定電極１１は、電動モータ（電動手段）２０で足の長さ方向に往復移動可能になっている。
【００２４】
具体的には、図２に示すように、体重計２内において、左右一対のエンドレスベルト２１が従動側プーリ２２と駆動側プーリ２３との間に掛け回され、左右の駆動側プーリ２３を連結する連結軸２４にギア２５が固定されている。このギア２５に電動モータ２０の出力ピニオン２０ａが噛み合わされている。
【００２５】
そして、左右のエンドレスベルト２１の上面には、左右の測定電極１１が電極保持部２６を介してそれぞれ固定されている。
【００２６】
したがって、電動モータ２０の往復回転で、ピニオン２０ａ、ギア２５、連結軸２４、左右の駆動側プーリ２３を介して、左右のエンドレスベルト２１が往復回動されることで、左右の測定電極１１が足の長さ方向に同時に往復移動（矢印ａ参照）するようになる。
【００２７】
前記のように構成した生体インピーダンス測定装置１の作用を図３（ｂ）のフローチャートを参照しながら説明する。
【００２８】
ステップＳ１で、体重計２の電源スイッチをオンし、ステップＳ２で、ハンドユニット３の操作部３Ｂのスイッチ１４で使用者の年齢等の身体的データを入力し、ステップＳ３で、表示部３Ａにより入力を確認する。
【００２９】
ステップＳ２で、使用者の年齢等の身体的データを入力すると、演算部１６で使用者の足サイズが選択される。そして、ステップＳ４で、その足サイズのデータ信号が電動モータ２０に入力され、電動モータ２０が往回転または復回転することで、エンドレスベルト２１が往回動または復回動する。これにより、測定電極１１が使用者の足サイズに合うように、足の長さ方向に往移動または復移動することで、印加電極１０との間隔Ｌが調整されるようになる。これで測定準備が完了する。
【００３０】
その後、使用者は、体重計２の載置板４に両足を乗せると、ステップＳ５で、荷重センサ７により使用者の体重が測定されるようになる。同時に、ステップＳ６で、印加電極１０と測定電極１１とで使用者の足の生体インピーダンスが測定されるようになる。
【００３１】
荷重センサ７で測定された使用者の体重データと、電極１０，１１で測定された使用者の足の生体インピーダンスデータ、スイッチ１４で入力された使用者の年齢等のデータは、ステップＳ７で、制御装置１３の演算部１６に入力される。なお、ハンドユニット３の印加電極と測定電極で測定された使用者の手の生体インピーダンスを併用すれば、測定精度が向上する。
【００３２】
ステップＳ７´で、演算部１６において使用者の体脂肪量やＢＭＩ等の複数の測定項目が演算され、それをステップＳ７´´で表示選択することで、ステップＳ８で表示部３Ａに表示されるようになる。
【００３３】
第１実施形態の生体インピーダンス測定装置１であれば、体重計２の爪先側と踵側の電極１０，１１は、電動モータ２０で間隔Ｌが調整可能に設けられている。
【００３４】
そして、制御装置１３により、使用者の年齢等の身体的データの入力で、予め統計的に決定された足サイズを選択して、この選択された足サイズに合うように、電動モータ２０で、爪先側と踵側の電極１０，１１の間隔Ｌが自動的に調整されるようになる。
【００３５】
したがって、使用者の身体的データを予め登録し、それを選択するスイッチ１４を操作等すれば、その使用者の足サイズに合うように、爪先側と踵側の電極１０，１１の間隔Ｌが自動的に調整されるようになるから、調整操作が簡単になり、より正確に体組成を測定できるようになる。また、電極サイズを大きくする必要がないので、電極１０，１１が安価になる。
【００３６】
第１実施形態の生体インピーダンス測定装置１では、爪先側の印加電極１０は固定で、踵側の測定電極１１は移動可能になっている。これに対して、図４に示す第２実施形態の生体インピーダンス測定装置１のように、爪先側の印加電極１０は移動可能で、踵側の測定電極１１は固定することもできる。
【００３７】
第２実施形態であれば、爪先側の印加電極１０を移動調整すれば、生体インピーダンス測定装置１に、足裏骨部で骨密度を測定する機能を有する場合には、正確な骨密度測定が可能となる。
【００３８】
同様に、図５に示す第３実施形態の生体インピーダンス測定装置１のように、体重計２の中心に対して、爪先側と踵側の電極１０，１１の間隔Ｌを均等に移動調整することもできる。
【００３９】
第３実施形態であれば、生体インピーダンス測定装置１に、バランスを測定する機能を有する場合には、正確なバランス測定が可能となる。
【符号の説明】
【００４０】
１    生体インピーダンス測定装置
２    体重計（載置部）
３    ハンドユニット
７    荷重センサ
１０  印加電極
１１  測定電極
１２  測定装置
１３  制御装置
１４  スイッチ
１６  演算部
１７  記憶部
２０  電動モータ（電動手段）
２１  エンドレスベルト
Ｌ    間隔
【図１】
2010220914.tif 000003
【図２】
2010220914.tif 000004
【図３】
2010220914.tif 000005
【図４】
2010220914.tif 000006
【図５】
2010220914.tif 000007